【手続補正書】
【提出日】平成24年8月16日(2012.8.16)
【手続補正１】
【補正対象書類名】特許請求の範囲
【補正対象項目名】全文
【補正方法】変更
【補正の内容】
【特許請求の範囲】
【請求項１】
入力信号をデジタルサンプリングするサンプリング部と、
上記入力信号のゼロクロス後のサンプリング値をＡk、ゼロクロス前のサンプリング値をＡk-1としたとき、Ａk-1＋Ａkに基づく第１の演算式により位相誤差を計算する第１の位相誤差計算部と、
上記入力信号について、min（Ａk，Ａk-1）に基づく第２の演算式（但しmin(ｘ，ｙ)はｘとｙのうち小さい方を選ぶ演算子である）により位相誤差を計算する第２の位相誤差計算部と、
上記入力信号のゼロクロス後のサンプリング値Ａkとゼロクロス前のサンプリング値Ａk-1との差の絶対値｜Ａk−Ａk-1｜が、予め定められた第１の閾値以下であるか否かを判定し、その判定結果に応じて上記第１の位相誤差計算部による計算値と上記第２の位相誤差計算部による計算値との何れか一方を位相誤差検出情報として選択出力する選択出力部と
を備える位相誤差検出装置。
【請求項２】
上記選択出力部は、
上記｜Ａk−Ａk-1｜が上記第１の閾値以下でない場合は上記第１の位相誤差計算部による計算値を位相誤差検出情報として選択出力し、上記｜Ａk−Ａk-1｜が上記第１の閾値以下である場合に上記第２の位相誤差計算部による計算値を位相誤差検出情報として選択出力する
請求項１に記載の位相誤差検出装置。
【請求項３】
上記選択出力部は、
上記｜Ａk−Ａk-1｜が上記第１の閾値よりも小である第２の閾値以上であるか否かを判定し、上記｜Ａk−Ａk-1｜が上記第１の閾値以下で且つ上記第２の閾値以上である場合は上記第２の位相誤差計算部による計算値を位相誤差検出情報として選択出力し、上記｜Ａk−Ａk-1｜が上記第２の閾値以上でない場合には、上記第１の位相誤差計算部による計算値と上記第２の位相誤差計算部による計算値の何れの出力も行わない
請求項２に記載の位相誤差検出装置。
【請求項４】
上記第１の位相誤差計算部による計算値と上記第２の位相誤差計算部による計算値とにそれぞれ異なるゲインを与えるゲイン付与部を備える
請求項３に記載の位相誤差検出装置。
【請求項５】
入力信号をデジタルサンプリングするサンプリング手順と、
上記入力信号のゼロクロス後のサンプリング値をＡk、ゼロクロス前のサンプリング値をＡk-1としたとき、Ａk-1＋Ａkに基づく第１の演算式により位相誤差を計算する第１の位相誤差計算手順と、
上記入力信号について、min（Ａk，Ａk-1）に基づく第２の演算式（但しmin(ｘ，ｙ)はｘとｙのうち小さい方を選ぶ演算子である）により位相誤差を計算する第２の位相誤差計算手順と、
上記入力信号のゼロクロス後のサンプリング値Ａkとゼロクロス前のサンプリング値Ａk-1との差の絶対値｜Ａk−Ａk-1｜が、予め定められた第１の閾値以下であるか否かを判定し、その判定結果に応じて上記第１の位相誤差計算手順による計算値と上記第２の位相誤差計算手順による計算値との何れか一方を位相誤差検出情報として選択出力する選択出力手順と
を有する位相誤差検出方法。
【請求項６】
記録媒体に記録されたビット情報についての再生信号を得る再生信号取得部と、
上記再生信号をデジタルサンプリングするサンプリング部と、
上記再生信号のゼロクロス後のサンプリング値をＡk、ゼロクロス前のサンプリング値をＡk-1としたとき、Ａk-1＋Ａkに基づく第１の演算式により位相誤差を計算する第１の位相誤差計算部と、
上記再生信号について、min（Ａk，Ａk-1）に基づく第２の演算式（但しmin(ｘ，ｙ)はｘとｙのうち小さい方を選ぶ演算子である）により位相誤差を計算する第２の位相誤差計算部と、
上記再生信号のゼロクロス後のサンプリング値Ａkとゼロクロス前のサンプリング値Ａk-1との差の絶対値｜Ａk−Ａk-1｜が、予め定められた第１の閾値以下であるか否かを判定し、その判定結果に応じて上記第１の位相誤差計算部による計算値と上記第２の位相誤差計算部による計算値との何れか一方を位相誤差検出情報として選択出力する選択出力部と、
上記選択出力部が出力する位相誤差検出情報に基づくＰＬＬ（Phase Locked Loop）制御を行ってクロックを生成するクロック生成部と
を備える再生装置。
【手続補正２】
【補正対象書類名】明細書
【補正対象項目名】００２１
【補正方法】変更
【補正の内容】
【００２１】
このため、本発明では位相誤差検出装置として以下のように構成することとした。
すなわち、入力信号をデジタルサンプリングするサンプリング部を備える。
また、上記入力信号のゼロクロス後のサンプリング値をＡk、ゼロクロス前のサンプリング値をＡk-1としたとき、Ａk-1＋Ａkに基づく第１の演算式により位相誤差を計算する第１の位相誤差計算部と、上記入力信号について、min（Ａk，Ａk-1）に基づく第２の演算式（但しmin(ｘ，ｙ)はｘとｙのうち小さい方を選ぶ演算子である）により位相誤差を計算する第２の位相誤差計算部とを備える。
また、上記入力信号のゼロクロス後のサンプリング値Ａkとゼロクロス前のサンプリング値Ａk-1との差の絶対値｜Ａk−Ａk-1｜が、予め定められた第１の閾値以下であるか否かを判定し、その判定結果に応じて上記第１の位相誤差計算部による計算値と上記第２の位相誤差計算部による計算値との何れか一方を位相誤差検出情報として選択出力する選択出力部を備えるようにした。
【手続補正３】
【補正対象書類名】明細書
【補正対象項目名】００２２
【補正方法】変更
【補正の内容】
【００２２】
また、本発明では再生装置として以下のように構成することとした。
つまり、記録媒体に記録されたビット情報についての再生信号を得る再生信号取得部と、上記再生信号をデジタルサンプリングするサンプリング部とを備える。
また、上記再生信号のゼロクロス後のサンプリング値をＡk、ゼロクロス前のサンプリング値をＡk-1としたとき、Ａk-1＋Ａkに基づく第１の演算式により位相誤差を計算する第１の位相誤差計算部と、上記再生信号について、min（Ａk，Ａk-1）に基づく第２の演算式（但しmin(ｘ，ｙ)はｘとｙのうち小さい方を選ぶ演算子である）により位相誤差を計算する第２の位相誤差計算部とを備える。
また、上記再生信号のゼロクロス後のサンプリング値Ａkとゼロクロス前のサンプリング値Ａk-1との差の絶対値｜Ａk−Ａk-1｜が、予め定められた第１の閾値以下であるか否かを判定し、その判定結果に応じて上記第１の位相誤差計算部による計算値と上記第２の位相誤差計算部による計算値との何れか一方を位相誤差検出情報として選択出力する選択出力部を備える。
また、上記選択出力部が出力する位相誤差検出情報に基づくＰＬＬ（Phase Locked Loop）制御を行ってクロックを生成するクロック生成部を備えるようにした。
【手続補正４】
【補正対象書類名】明細書
【補正対象項目名】００２３
【補正方法】変更
【補正の内容】
【００２３】
ここで、例えばＰＲ（１，２，２，２，１）が採用される場合において、再生信号のゼロクロス付近のサンプリング値に着目してみると、図１１（ａ）に示したように理想値がゼロをとらないパターンの場合（つまりゼロクロスに３Ｔ以上のパターンが絡む場合）における｜Ａk−Ａk-1｜の値は必ず４以上の数値となる。これに対し、図１１（ｂ）に示したように理想値がゼロをとるパターンの場合（ゼロクロスに２Ｔパターンが絡む場合）における｜Ａk−Ａk-1｜は必ず４未満の数値となる。
そこで上記本発明のように、上記｜Ａk−Ａk-1｜が予め定められた第１の閾値以下であるか否かを判定し、その判定結果に応じて上記第１の位相誤差計算部による計算値と上記第２の位相誤差計算部による計算値との何れか一方を位相誤差検出情報として選択出力するものとすれば、図１１（ａ）に示すようなゼロクロスに３Ｔ以上のパターンが絡む場合のみでなく、図１１（ｂ）に示すようなゼロクロスに２Ｔパターンが絡む場合においても適正に位相誤差情報を得ることができる。つまりこれにより、ゼロクロスに３Ｔ以上のパターンが絡む部分のみから位相誤差情報を得るようにした手法と比較して、位相誤差情報の更新頻度を高めることができる。
【手続補正５】
【補正対象書類名】明細書
【補正対象項目名】００３３
【補正方法】変更
【補正の内容】
【００３３】
上記マトリクス回路４により生成された再生信号ｓＡは、ハイパスフィルタ（ＨＰＦ）５、及びオートゲインコントロール回路（ＡＧＣ）６を介して、ＰＲイコライザ７（ＰＲ：Partial Response）に供給される。
ここで、上記ハイパスフィルタ５は、再生信号ｓＡのＤＣ成分カットと低域うねりの除去を行うものである。また上記オートゲインコントロール回路６は、再生信号ｓＡのレベルを後段のＡ／Ｄ変換器８のダイナミックレンジに適したレベルに調整するために設けられる。
上記オートゲインコントロール回路６によるゲイン調整は、後述する各ｃａｓｅ判定回路３７，３８（図１０）により適正な判定動作が得られるようにするために重要な機能となる。
【手続補正６】
【補正対象書類名】明細書
【補正対象項目名】００８３
【補正方法】変更
【補正の内容】
【００８３】
先の図１（及び図２）に示したＡ／Ｄ変換器８からの再生信号ｓＡ-smpは、図示するようにしてゼロクロス検出回路２５、第１位相誤差計算回路２７、第２位相誤差計算回路２８、傾き極性判定回路３１、レベル計算回路３６に対してそれぞれ供給される。